(57)【要約】【課題】  複数のネットワーク間でローミングを行う移動局に対して、ブロードキャストデータ又はマルチキャストデータを送信する。【解決手段】  本発明は、移動局に対してブロードキャストデータ又はマルチキャストデータを送信する移動通信システムに関する。移動局ＭＳが、第１のネットワークから第２のネットワークにローミングを行った場合、第２のネットワークは、第２のネットワークにおいて提供可能なブロードキャストデータ又はマルチキャストデータを識別するための第２のネットワーク用サービス識別子ＴＭＧＩを移動局ＭＳに対して通知するように構成されている。また、移動局ＭＳは、第２のネットワーク用サービス識別子ＴＭＧＩを用いて、第２のネットワークから、ブロードキャストデータ又はマルチキャストデータを受信するように構成されている。【選択図】  図３
2006054616.tif 000002
【特許請求の範囲】
【請求項１】
移動局に対してブロードキャストデータ又はマルチキャストデータを送信する移動通信システムであって、
前記移動局が、第１のネットワークから第２のネットワークにローミングを行った場合、前記第２のネットワークは、該第２のネットワークにおいて提供可能な前記ブロードキャストデータ又は前記マルチキャストデータを識別するための第２のネットワーク用サービス識別子を前記移動局に対して通知するように構成されており、
前記移動局は、前記第２のネットワーク用サービス識別子を用いて、前記第２のネットワークから、前記ブロードキャストデータ又は前記マルチキャストデータを受信するように構成されていることを特徴とする移動通信システム。
【請求項２】
前記移動局は、前記第２のネットワーク用サービス識別子を受信した場合、前記第１のネットワークにおいて提供可能な前記ブロードキャストデータ又は前記マルチキャストデータを識別するための第１のネットワーク用サービス識別子を削除するように構成されていることを特徴とする請求項１に記載の移動通信システム。
【請求項３】
所定のネットワークにおいて提供可能なブロードキャストデータ又はマルチキャストデータを識別するためのサービス識別子を管理する管理部と、
複数のネットワーク間でローミングを行うローミング処理部と、
第１のネットワークから第２のネットワークにローミングを行った場合、該第２のネットワークから、該第２のネットワークにおいて提供可能な前記ブロードキャストデータ又は前記マルチキャストデータを識別するための第２のネットワーク用サービス識別子を取得する取得部と、
前記第２のネットワーク用サービス識別子を用いて、前記第２のネットワークから、前記ブロードキャストデータ又は前記マルチキャストデータを受信するデータ受信部とを具備することを特徴とする移動局。
【請求項４】
前記取得部が、前記第２のネットワーク用サービス識別子を受信した場合、前記管理部は、前記第１のネットワークにおいて提供可能な前記ブロードキャストデータ又は前記マルチキャストデータを識別するための第１のネットワーク用サービス識別子を削除するように構成されていることを特徴とする請求項３に記載の移動局。
【請求項５】
移動局に対してブロードキャストデータ又はマルチキャストデータを送信する移動通信システムであって、
第１のネットワークにおいて提供可能な前記ブロードキャストデータ又は前記マルチキャストデータを識別するための第１のネットワーク用サービス識別子を保持している前記移動局は、該第１のネットワークから第２のネットワークにローミングを行った場合、該第１又は第２のネットワークからの指示に応じて、該第１のネットワーク用サービス識別子を用いた前記ブロードキャストデータ又は前記マルチキャストデータの受信を中止するように構成されていることを特徴とする移動通信システム。
【請求項６】
移動局に対してブロードキャストデータ又はマルチキャストデータを送信する移動通信システムであって、
第１のネットワークにおいて提供可能な前記ブロードキャストデータ又は前記マルチキャストデータを識別するための第１のネットワーク用サービス識別子を保持している前記移動局は、該第１のネットワークから第２のネットワークにローミングを行った場合、自身の判断に応じて、該第１のネットワーク用サービス識別子を用いた前記ブロードキャストデータ又は前記マルチキャストデータの受信を中止するように構成されていることを特徴とする移動通信システム。
【発明の詳細な説明】
【技術分野】
【０００１】
本発明は、移動局に対してブロードキャストデータ又はマルチキャストデータを送信する移動通信システム、及び、かかる移動通信システムで用いられる移動局に関する。
【背景技術】
【０００２】
従来、移動局に対してブロードキャストデータ又はマルチキャストデータを送信する技術として、３ＧＰＰ（３ｒｄ  Ｇｅｎｅｒａｔｉｏｎ  Ｐａｒｔｎｅｒｓｈｉｐ  Ｐｒｏｊｅｃｔ）において、ＭＢＭＳ（Ｍｕｌｔｉｍｅｄｉａ  Ｂｒｏａｄｃａｓｔ/Ｍｕｌｔｉｃａｓｔ  Ｓｅｒｖｉｃｅ）が規定されている（例えば、非特許文献１参照）。
【０００３】
ＭＢＭＳでは、サービスアナウンスメントの中に、各ネットワークにおいて提供可能なブロードキャストデータ又はマルチキャストデータを識別するための「サービス識別子（ＴＭＧＩ：Ｔｅｍｐｏｒａｒｙ  Ｍｏｂｉｌｅ  Ｇｒｏｕｐ  Ｉｄｅｎｔｉｆｙ）」が含まれるように規定されており、移動局は、所望のブロードキャストデータ又はマルチキャストデータを識別するためのサービス識別子を設定することによって、所望のブロードキャストデータ又はマルチキャストデータを受信できるように規定されている。
【非特許文献１】３ＧＰＰ  ＴＳ  ２３.２４６  ｖ６.２.０（２００４-０３）
【発明の開示】
【発明が解決しようとする課題】
【０００４】
しかしながら、従来の移動通信システムでは、移動局が、複数のネットワーク間でローミングを行う場合、ローミング先のネットワークにおいて、上述のサービス識別子を取得する手段について規定されていないため、移動局は、ローミング先のネットワークにおいて、所望のブロードキャストデータ又はマルチキャストデータを受信することができないという問題点があった。
【０００５】
すなわち、図７に示すように、オペレータＡ網において提供可能なブロードキャストデータ又はマルチキャストデータを識別するためのサービス識別子ＴＭＧＩを含むサービスアナウンスメント＃Ａを管理している移動局ＭＳ＃Ａが、オペレータＢ網にローミングした場合、オペレータＢ網において提供可能なブロードキャストデータ又はマルチキャストデータを識別するためのサービス識別子ＴＭＧＩを含むサービスアナウンスメント＃Ｂを取得する手段が規定されていないため、移動局ＭＳ＃Ａは、オペレータＢ網において、所望のブロードキャストデータ又はマルチキャストデータを受信することができないという問題点があった。
【０００６】
また、図８に示すように、従来の移動通信システムでは、サービス識別子ＴＭＧＩは、移動通信システムにおけるオペレータを識別するための「ローミング部」と、当該オペレータによって提供されているサービスを識別するための「ローカル部」とによって構成されている。
【０００７】
このように、上述のローミング部とローカル部とを含むサービス識別子ＴＭＧＩを利用すると、サービス識別子ＴＭＧＩの値が大きくなり、ブロードキャストデータ又はマルチキャストデータを送受信するためのセッションを確立するための無線制御装置と移動局との間の無線区間における処理負荷が増加する。
【０００８】
したがって、かかる無線区間における処理負荷を軽減するために、従来の移動通信システムは、同一オペレータ網内で、ローカル部のみによってブロードキャストデータ又はマルチキャストデータを識別するように構成されていた。
【０００９】
しかしながら、このように構成された従来の移動通信システムでは、複数のネットワークにおいて、異なるブロードキャストデータ又はマルチキャストデータに対して同じローカル番号を利用する可能性があり、移動局が、ローミング元のネットワーク用サービス識別子を保有したままローミングを行う場合、ローミング先のネットワークにおいて提供可能なブロードキャストデータ又はマルチキャストデータを特定することができないという問題点があった。
【００１０】
そこで、本発明は、以上の点に鑑みてなされたもので、複数のネットワーク間でローミングを行う移動局に対して、ブロードキャストデータ又はマルチキャストデータを送信することができる移動通信システム及び移動局を提供することを目的とする。
【課題を解決するための手段】
【００１１】
本発明の第１の特徴は、移動局に対してブロードキャストデータ又はマルチキャストデータを送信する移動通信システムであって、前記移動局が、第１のネットワークから第２のネットワークにローミングを行った場合、前記第２のネットワークは、該第２のネットワークにおいて提供可能な前記ブロードキャストデータ又は前記マルチキャストデータを識別するための第２のネットワーク用サービス識別子を前記移動局に対して通知するように構成されており、前記移動局は、前記第２のネットワーク用サービス識別子を用いて、前記第２のネットワークから、前記ブロードキャストデータ又は前記マルチキャストデータを受信するように構成されていることを要旨とする。
【００１２】
かかる発明によれば、移動局が、第１のネットワークから第２のネットワークにローミングしたことを契機に、第２のネットワークで提供可能なブロードキャストデータ又はマルチキャストデータを識別するサービス識別子を移動局に対して通知するため、ユーザは、在圏ネットワークで提供されているブロードキャスト通信サービス又はマルチキャスト通信サービスを認識することができ、移動局が、第２のネットワーク（ローミング先のネットワーク）において、所望のブロードキャストデータ又はマルチキャストデータを受信することができる。
【００１３】
この結果、ユーザにとって利便性が向上すると共に、オペレータにとっても、ローミングしてきた移動局に対してブロードキャスト通信サービス又はマルチキャスト通信サービスを提供することができるようになり、当該ブロードキャスト通信サービス又はマルチキャスト通信サービスを利用する移動局数を増やすことができるという利益がある。
【００１４】
本発明の第１の特徴において、前記移動局が、前記第２のネットワーク用サービス識別子を受信した場合、前記第１のネットワークにおいて提供可能な前記ブロードキャストデータ又は前記マルチキャストデータを識別するための第１のネットワーク用サービス識別子を削除するように構成されていてもよい。
【００１５】
かかる発明によれば、移動局が、ローミングを行った際に、ローミング元のネットワーク（第１のネットワーク）用サービス識別子を削除するため、各ネットワーク（各オペレータ網）内で、ローカル部のみによってブロードキャストデータ又はマルチキャストデータを識別することができる。
【００１６】
本発明の第２の特徴は、所定のネットワークにおいて提供可能なブロードキャストデータ又はマルチキャストデータを識別するためのサービス識別子を管理する管理部と、複数のネットワーク間でローミングを行うローミング処理部と、第１のネットワークから第２のネットワークにローミングを行った場合、該第２のネットワークから、該第２のネットワークにおいて提供可能な前記ブロードキャストデータ又は前記マルチキャストデータを識別するための第２のネットワーク用サービス識別子を取得する取得部と、前記第２のネットワーク用サービス識別子を用いて、前記第２のネットワークから、前記ブロードキャストデータ又は前記マルチキャストデータを受信するデータ受信部とを具備する移動局であることを要旨とする。
【００１７】
本発明の第２の特徴において、前記取得部が、前記第２のネットワーク用サービス識別子を受信した場合、前記管理部が、前記第１のネットワークにおいて提供可能な前記ブロードキャストデータ又は前記マルチキャストデータを識別するための第１のネットワーク用サービス識別子を削除するように構成されていてもよい。
【００１８】
本発明の第３の特徴は、移動局に対してブロードキャストデータ又はマルチキャストデータを送信する移動通信システムであって、第１のネットワークにおいて提供可能な前記ブロードキャストデータ又は前記マルチキャストデータを識別するための第１のネットワーク用サービス識別子を保持している前記移動局は、該第１のネットワークから第２のネットワークにローミングを行った場合、該第１又は第２のネットワークからの指示に応じて、該第１のネットワーク用サービス識別子を用いた前記ブロードキャストデータ又は前記マルチキャストデータの受信を中止するように構成されていることを要旨とする。
【００１９】
本発明の第４の特徴は、移動局に対してブロードキャストデータ又はマルチキャストデータを送信する移動通信システムであって、第１のネットワークにおいて提供可能な前記ブロードキャストデータ又は前記マルチキャストデータを識別するための第１のネットワーク用サービス識別子を保持している前記移動局は、該第１のネットワークから第２のネットワークにローミングを行った場合、自身の判断に応じて、該第１のネットワーク用サービス識別子を用いた前記ブロードキャストデータ又は前記マルチキャストデータの受信を中止するように構成されていることを要旨とする。
【発明の効果】
【００２０】
以上説明したように、本発明によれば、複数のネットワーク間でローミングを行う移動局に対して、ブロードキャストデータ又はマルチキャストデータを送信することができる移動通信システム及び移動局を提供することができる。
【発明を実施するための最良の形態】
【００２１】
（本発明の第１の実施形態に係る移動通信システムの構成）
図１及び図２を参照して、本発明の第１の実施形態に係る移動通信システムの構成について説明する。本実施形態に係る移動通信システムは、移動局ＭＳに対して、ブロードキャストデータ又はマルチキャストデータを送信するように構成されている。
【００２２】
図１に示すように、本実施形態に係る移動通信システムは、オペレータＡ網と、オペレータＢ網と、中継網とを具備する。本実施形態では、オペレータＡ網にサービス契約している移動局ＭＳ＃Ａが、オペレータＡ網（第１のネットワーク）からオペレータＢ網（第２のネットワーク）にローミングを行う場合の例について説明する。
【００２３】
各オペレータ網には、ブロードキャストサービス/マルチキャストサービス制御サーバＢＭ-ＳＣ（Ｂｒｏａｄｃａｓｔ  Ｍｕｌｔｉｃａｓｔ  Ｓｅｒｖｉｃｅ  Ｃｅｎｔｅｒ）と、関門交換機ＧＧＳＮ（Ｇａｔｅｗａｙ  ＧＲＰＳ  Ｓｕｐｐｏｒｔ  Ｎｏｄｅ）と、在圏交換機ＳＧＳＮ（Ｓｅｒｖｉｎｇ  ＧＲＰＳ  Ｓｕｐｐｏｒｔ  Ｎｏｄｅ）と、無線ネットワーク制御装置ＲＮＣ（Ｒａｄｉｏ  Ｎｅｔｗｏｒｋ  Ｃｏｎｔｒｏｌｌｅｒ）と、基地局ＢＳとが配置されている。
【００２４】
ブロードキャストサービス/マルチキャストサービス制御サーバＢＭ-ＳＣは、各ネットワークにおいて提供可能なブロードキャストデータ又はマルチキャストデータを識別するためのサービス識別子ＴＭＧＩを含むサービスアナウンスメントを生成し、移動局ＭＳ＃Ａに対して通知するものである。
【００２５】
図２に示すように、移動局ＭＳ＃Ａは、ローミング処理部１１と、サービスアナウンスメント要求部１２と、サービスアナウンスメント取得部１３と、サービスアナウンスメント管理部１４と、データ受信部１５とを具備している。
【００２６】
ローミング処理部１１は、オペレータＡ網（第１のネットワーク）からオペレータＢ網（第２のネットワーク）にローミングを行う際に必要な処理を行うものである。
【００２７】
サービスアナウンスメント要求部１２は、オペレータＡ網からオペレータＢ網にローミングを行った場合、オペレータＢ網において提供可能なブロードキャストデータ又はマルチキャストデータを識別するためのオペレータＢ網用サービス識別子ＴＭＧＩを含むサービスアナウンスメント＃Ｂを送信するように要求するサービスアナウンスメント要求信号を、オペレータＢ網に対して送信するものである。
【００２８】
サービスアナウンスメント要求部１２は、オペレータＢ網がＭＢＭＳに対応している場合にのみ、上述のサービスアナウンスメント要求信号をオペレータＢ網に対して送信するように構成されていてもよい。
【００２９】
サービスアナウンスメント取得部１３は、ブロードキャストサービス/マルチキャストサービス制御サーバＢＭ-ＳＣから、サービスアナウンスメント＃Ｂを取得するものである。
【００３０】
サービスアナウンスメント管理部１４は、所定のネットワークにおいて提供可能なブロードキャストデータ又はマルチキャストデータを識別するためのサービス識別子ＴＭＧＩを含むサービスアナウンスメントを管理するものである。
【００３１】
また、サービスアナウンスメント管理部１４は、サービスアナウンスメント取得部１３によってサービスアナウンスメント＃Ｂが受信された場合、サービスアナウンスメント＃Ａを保持するように構成されていてもよいし削除するように構成されていてもよい。
【００３２】
データ受信部１５は、サービスアナウンスメントに含まれているサービス識別子ＴＭＧＩを用いて、ブロードキャストデータ又はマルチキャストデータを受信するものである。
【００３３】
具体的には、データ受信部１５は、ユーザによって設定されたサービス識別子ＴＭＧＩに対応するブロードキャストデータ又はマルチキャストデータを、オペレータＡ網又はオペレータＢ網から受信するように構成されている。
【００３４】
また、データ受信部１５は、移動局ＭＳ＃Ａが、第１のネットワークから第２のネットワークにローミングを行った場合、第１又は第２のネットワークからの指示に応じて、又は、自身の判断に応じて、第１のネットワーク用サービス識別子を用いたブロードキャストデータ又はマルチキャストデータの受信を中止するように構成されていてもよい。
【００３５】
また、サービスアナウンスメント管理部１４が、サービスアナウンスメント＃Ａを保持するように構成されている状態で、移動局ＭＳ＃Ａが、第１のネットワークに戻った場合、データ受信部１５は、再びサービスアナウンスメント＃Ａを取得することなく、ブロードキャストデータ又はマルチキャストデータを受信することができる。
【００３６】
（本発明の第１の実施形態に係る移動通信システムの動作）
図３を参照して、本発明の第１の実施形態に係る移動通信システムの動作について説明する。図３の例では、移動局ＭＳ＃Ａが、オペレータＡ網からオペレータＢ網にローミングを行った場合の本実施形態に係る移動通信システムの動作について説明する。
【００３７】
ステップＳ１０１において、基地局ＢＳは、オペレータＢを識別するためのオペレータ識別情報と、オペレータＢ網がＭＢＭＳに対応可能であることを示すＭＢＭＳ対応可否情報とを含む報知情報を、移動局ＭＳ＃Ａに対して配信する。
【００３８】
ステップＳ１０２において、移動局ＭＳ＃Ａは、報知情報に含まれるオペレータ識別情報に基づいて、オペレータＡ網からオペレータＢ網にローミングを行ったことを検出すると共に、報知情報に含まれるＭＢＭＳ対応可否情報に基づいて、オペレータＢ網がＭＢＭＳに対応していることを検出する。
【００３９】
ステップＳ１０３において、移動局ＭＳ＃Ａは、交換機ＳＧＳＮ/ＧＧＳＮに対して、サービスアナウンスメント＃Ｂを要求するためのサービスアナウンスメント要求信号を送信する。
【００４０】
ステップＳ１０４において、交換機ＳＧＳＮ/ＧＧＳＮは、移動局ＭＳ＃Ａから送信されたサービスアナウンスメント要求信号を、ブロードキャストサービス/マルチキャストサービス制御サーバＢＭ-ＳＣに送信する。
【００４１】
ステップＳ１０５において、ブロードキャストサービス/マルチキャストサービス制御サーバＢＭ-ＳＣは、受信したサービスアナウンスメント要求信号に応じて、オペレータＢ網において提供可能であるブロードキャストデータ又はマルチキャストデータを識別するためのサービス識別子ＴＭＧＩを含むサービスアナウンスメント＃Ｂを、移動局ＭＳ＃Ａに対して通知する。
【００４２】
例えば、ブロードキャストサービス/マルチキャストサービス制御サーバＢＭ-ＳＣは、ショートメッセージサービス（ＳＭＳ）やマルチメディアメッセージサービス（ＭＭＳ）を利用してサービスアナウンスメント＃Ｂを移動局ＭＳ＃Ａに対して通知するように構成されていてもよいし、電子メールによってサービスアナウンスメント＃Ｂを移動局ＭＳ＃Ａに対して通知するように構成されていてもよいし、Ｗｅｂサーバを介してサービスアナウンスメント＃Ｂを移動局ＭＳ＃Ａに対して通知するように構成されていてもよい。
【００４３】
ステップＳ１０６において、移動局ＭＳ＃Ａは、サービスアナウンスメント＃Ｂの受信に応じて、記憶しているオペレータＡ網用サービス識別子ＴＭＧＩを削除して、サービスアナウンスメント＃Ｂに含まれるオペレータＢ網用サービス識別子ＴＭＧＩを記憶する。
【００４４】
なお、移動局ＭＳ＃Ａは、ステップＳ１０２において、オペレータＢ網がＭＢＭＳに対応していることを判断することなく、ステップＳ１０３において、サービスアナウンスメント＃Ｂを要求するためのサービスアナウンスメント要求信号を送信してもよい。
【００４５】
かかる場合、ＭＢＭＳに対応していないオペレータＢ網では、ブロードキャストサービス/マルチキャストサービス制御サーバＢＭ-ＳＣは、サービスアナウンスメント要求信号に対する処理を行わない（例えば、拒絶信号を返送する）。
【００４６】
（本発明の第１の実施形態に係る移動通信システムの作用・効果）
本発明の第１の実施形態に係る移動通信システムによれば、移動局ＭＳ＃Ａが、オペレータＡ網からオペレータＢ網にローミングしたことを契機に、オペレータＢ網で提供可能なブロードキャストデータ又はマルチキャストデータを識別するサービス識別子ＴＭＧＩを含むサービスアナウンスメント＃Ｂを移動局ＭＳ＃Ａに対して通知するため、ユーザは、在圏ネットワーク（オペレータＢ網）で提供されているブロードキャスト通信サービス又はマルチキャスト通信サービスを認識することができ、移動局ＭＳ＃Ａが、オペレータＢ網（ローミング先のネットワーク）において、所望のブロードキャストデータ又はマルチキャストデータを受信することができる。
【００４７】
この結果、ユーザにとって利便性が向上すると共に、オペレータにとっても、ローミングしてきた移動局ＭＳ＃Ａに対してブロードキャスト通信サービス又はマルチキャスト通信サービスを提供することができるようになり、当該ブロードキャスト通信サービス又はマルチキャスト通信サービスを利用する移動局ＭＳ数を増やすことができるという利益がある。
【００４８】
本発明の第１の実施形態に係る移動通信システムによれば、移動局ＭＳ＃Ａが、ローミングを行った際に、ローミング元のネットワーク（オペレータＡ網）用サービス識別子ＴＭＧＩを削除するため、各ネットワーク（各オペレータ網）内で、ローカル部のみによってブロードキャストデータ又はマルチキャストデータを識別することができる。
【００４９】
（本発明の第２の実施形態に係る移動通信システム）
図４乃至図６を参照して、本発明の第２の実施形態に係る移動通信システムについて説明する。以下、本発明の第２の実施形態に係る移動通信システムについて、本発明の第１の実施形態に係る移動通信システムとの相違点について主に説明する。
【００５０】
図４に示すように、本実施形態に係る移動局ＭＳは、ローミング処理部１１と、サービスアナウンスメント取得部１３と、サービスアナウンスメント管理部１４と、データ受信部１５と、位置登録処理部２１とを具備している。
【００５１】
位置登録処理部２１は、オペレータＡ網（第１のネットワーク）からオペレータＢ網（第２のネットワーク）にローミングを行った際の位置登録処理を行うものである。
【００５２】
具体的には、位置登録処理部２１は、オペレータＡ網からオペレータＢ網にローミングを行った場合、交換機ＳＧＳＮ/ＧＧＳＮに対して、位置登録要求信号を送信するように構成されている。
【００５３】
図５に示すように、本実施形態に係る交換機ＳＧＳＮ/ＧＧＳＮは、判定部５１と、サービスアナウンスメント要求部５２とを具備している。
【００５４】
判定部５１は、移動局ＭＳ＃Ａから送信された位置登録要求信号に含まれる「ＩＭＥＩ」に基づいて、移動局ＭＳ＃ＡがオペレータＢ網にローミングして来た移動局（ローミングインの移動局）であるか否かについて判定するものである。
【００５５】
また、判定部５１は、移動局ＭＳ＃Ａから送信された位置登録要求信号に含まれる「ＩＭＥＩＳＶ」に基づいて、移動局ＭＳ＃ＡがＭＢＭＳに対応しているか否かについて判定するものである。
【００５６】
サービスアナウンスメント要求部５２は、移動局ＭＳ＃Ａが、ローミングインの移動局であり、かつ、ＭＢＭＳに対応していると判定された場合、オペレータＢ網において提供可能なブロードキャストデータ又はマルチキャストデータを識別するためのオペレータＢ網用サービス識別子ＴＭＧＩを含むサービスアナウンスメント＃Ｂを移動局ＭＳ＃Ａに送信するように要求するサービスアナウンスメント要求信号を、ブロードキャストサービス/マルチキャストサービス制御サーバＢＭ-ＳＣに対して送信するものである。
【００５７】
図６を参照して、本発明の第２の実施形態に係る移動通信システムの動作について説明する。図６の例では、移動局ＭＳ＃Ａが、オペレータＡ網からオペレータＢ網にローミングを行った場合の本実施形態に係る移動通信システムの動作について説明する。
【００５８】
ステップＳ２０１において、移動局ＭＳ＃Ａは、交換機ＳＧＳＮ/ＧＧＳＮに対して、位置登録要求信号を送信する。
【００５９】
ステップＳ２０２において、交換機ＳＧＳＮ/ＧＧＳＮは、位置登録要求信号に含まれるＩＭＥＩに基づいて、移動局ＭＳ＃ＡがオペレータＡ網からオペレータＢ網にローミングを行ったことを検出すると共に、位置登録要求信号に含まれるＩＭＥＩＳＶに基づいて、移動局ＭＳ＃ＡがＭＢＭＳに対応していることを検出する。
【００６０】
ステップＳ２０３において、交換機ＳＧＳＮ/ＧＧＳＮは、ブロードキャストサービス/マルチキャストサービス制御サーバＢＭ-ＳＣに対して、サービスアナウンスメント＃Ｂを要求するためのサービスアナウンスメント要求信号を送信する。
【００６１】
ステップＳ２０４において、ブロードキャストサービス/マルチキャストサービス制御サーバＢＭ-ＳＣは、受信したサービスアナウンスメント要求信号に応じて、オペレータＢ網において提供可能であるブロードキャストデータ又はマルチキャストデータを識別するためのサービス識別子ＴＭＧＩを含むサービスアナウンスメント＃Ｂを、移動局ＭＳ＃Ａに対して通知する。
【００６２】
例えば、ブロードキャストサービス/マルチキャストサービス制御サーバＢＭ-ＳＣは、ショートメッセージサービス（ＳＭＳ）やマルチメディアメッセージサービス（ＭＭＳ）を利用してサービスアナウンスメント＃Ｂを移動局ＭＳ＃Ａに対して通知するように構成されていてもよいし、電子メールによってサービスアナウンスメント＃Ｂを移動局ＭＳ＃Ａに対して通知するように構成されていてもよいし、Ｗｅｂサーバを介してサービスアナウンスメント＃Ｂを移動局ＭＳ＃Ａに対して通知するように構成されていてもよい。
【００６３】
ステップＳ２０５において、移動局ＭＳ＃Ａは、サービスアナウンスメント＃Ｂの受信に応じて、記憶しているオペレータＡ網用サービス識別子ＴＭＧＩを削除して、サービスアナウンスメント＃Ｂに含まれるオペレータＢ網用サービス識別子ＴＭＧＩを記憶する。
【図面の簡単な説明】
【００６４】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の第２の実施形態に係る移動局の機能ブロック図である。
【図５】本発明の第２の実施形態に係る交換機の機能ブロック図である。
【図６】本発明の第２の実施形態に係る移動通信システムの動作を示すシーケンス図である。
【図７】従来技術に係る移動通信システムの全体構成図である。
【図８】従来技術に係る移動通信システムで用いられるサービス識別子のフォーマットの一例を示す図である。
【符号の説明】
【００６５】
１１…ローミング処理部
１２、５２…サービスアナウンスメント要求部
１３…サービスアナウンスメント取得部
１４…サービスアナウンスメント管理部
１５…データ受信部
２１…位置登録処理部
５１…判定部
【図１】
2006054616.tif 000003
【図２】
2006054616.tif 000004
【図３】
2006054616.tif 000005
【図４】
2006054616.tif 000006
【図５】
2006054616.tif 000007
【図６】
2006054616.tif 000008
【図７】
2006054616.tif 000009
【図８】
2006054616.tif 000010